(57)【要約】【課題】  校正指示を伝送するときのデータ量の削減を図りながら、校正を行うときの色の属性情報も含めて適正な校正指示を伝送可能とする。【解決手段】  校正システムに設けられるサーバ２４では、スキャナ２２によって原稿７０と校正原稿７４の画像データを読み込むと、差分抽出部６０で、この画像データの間の差分を抽出して差分データを生成する。データ変換部６２は、差分データを二値化データに変換し、属性情報設定部６４は、色ごとの属性情報を生成する。データ合成部６６は、二値化データと属性情報を合成して校正指示データを生成する。これにより、書込みを行ったときの色ごとの属性情報を含ませたデータ量の少ない校正指示データを得ることができる。【選択図】        図３
2006093949.tif 000002
【特許請求の範囲】
【請求項１】
書込みに用いる筆記具ごとに属性情報を設定し、該属性情報に基づいて元原稿に校正指示を書き込んで校正原稿を作成して校正指示する校正指示方法であって、
前記元原稿及び前記校正原稿の画像読込みを行い、元原稿に基づいた第１の画像データと校正原稿に基づいた第２の画像データから予め設定した閾値以上の差分を抽出し、
前記抽出した差分を二値化した画像データを生成すると共に、
前記抽出した差分ごとの色を判定して前記差分ごとの前記属性情報を生成し、
前記二値化した画像データに前記属性情報を付加した校正指示データを出力することを特徴とする校正指示方法。
【請求項２】
前記校正情報として該当する色の画像の削除を含むときに、前記属性情報に基づいて前記差分を削除した校正指示データを生成することを特徴とする請求項１に記載の校正指示方法。
【請求項３】
元原稿に基づいた第１の画像データ及び、元原稿に校正指示を書き込んだ校正原稿に基づいた第２の画像データを記憶する可能な記憶手段と、
前記校正指示を書き込むときの色ごとの属性情報を記憶する属性情報記憶手段と、
前記記憶手段に記憶されている前記第１の画像データと前記第２の画像データから、予め設定した閾値以上の差分を抽出する抽出手段と、
前記抽出手段によって抽出した差分を二値化した画像データを生成するデータ変換手段と、
前記抽出手段によって抽出した差分ごとの色を判定し、判定結果と前記属性情報記憶手段に記憶している色ごとの属性情報から差分ごとの属性情報を生成すると共に、生成した属性情報を前記データ変換手段によって生成された前記画像データに付加して、校正指示データを生成する生成手段と、
前記校正指示データを伝送出力する伝送手段と、
を含むことを特徴とする画像校正システム。
【請求項４】
前記元原稿から前記第１の画像データを読み込むと共に、前記校正原稿から前記第２の画像データを読み込む画像読取り手段を含むことを特徴とする請求項３に記載の画像校正システム。
【請求項５】
前記属性情報記憶手段に記憶している属性情報に前記差分の削除を含むときに、前記生成手段が、該当する差分を削除した校正指示データを生成することを特徴とする請求項３又は請求項４に記載の画像校正システム。
【発明の詳細な説明】
【技術分野】
【０００１】
本発明は、原稿に赤入れなどによって校正指示を書き込んだ校正原稿を用いて校正指示を行うときの校正指示方法及び画像校正システムに関する。
【背景技術】
【０００２】
印刷分野におけるデジタル化として、ＤＴＰ（Desktop  Publishing）化が浸透している。ＤＴＰは、パーソナルコンピュータ（ＰＣ）などの画像処理装置上で、画像の作成、加工、編集等を行うことでページレイアウトを作成する。印刷を行うときには、作成したページレイアウトに基づいて印刷版を露光するためのフィルムの作成を行ったり（ＣＥＰＳ）、印刷版を直接露光する（ＣＴＰ：Computer  to  Plate）ことで印刷用の刷版を作成する。
【０００３】
一方、実際の印刷処理に先立って校正等を行うときには、ＷＹＳＩＷＹＧ機能を用いて、画像処理装置などのモニタに表示したページレイアウトを、ページプリンタ等の印刷出力装置によって印刷出力して、カラープルーフを作成する（カンプ出力）。
【０００４】
また、校正作業は、カラープルーフなどを印刷会社から印刷物の発注者（依頼主）などに渡して、校正を行ってもらう。このときには、カラープルーフに赤入れ等によって修正指示を書き込んで（赤入れ）、修正指示を書き込んだ修正原稿（赤入れ原稿）を作成し、修正原稿を印刷会社などへ渡すことにより修正指示が行われる。
【０００５】
近年、ネットワークの普及と、汎用プリンタの高機能化や色再現性の向上に伴い、リモートカラープルーフが用いられることがある。このリモートカラープルーフでは、印刷会社で作成したページレイアウトなどの画像データを発注者へ伝送し、発注者側は、プリンタを用いて印刷処理を行うことにより、この画像データに応じたカラープルーフを作成する。すなわち、画像データを発注者に渡すことにより、発注者がカラープルーフを出力し、出力したカラープルーフを用いて修正原稿を作成するようにしている。
【０００６】
また、リモートカラープルーフでは、発注者が修正原稿を印刷会社に送るときに、ファクシミリを用いるか、修正原稿をスキャナ等によって読み込んで、修正原稿の画像データを作成した後、この修正原稿の画像データを印刷会社へ伝送する。
【０００７】
一方、ネットワークを介して多量のデータを伝送するときには、伝送時間がかかってしまう。また、ネットワークでは、伝送するデータ量等に応じて課金されることがあり、発注者が修正原稿を印刷会社に渡すときには、このデータ量が、発注者の負担となってしまうことから、修正原稿から赤入れ情報のみを抽出し、元の原稿部分（原稿画像）は送らずに、抽出した赤入れ情報（赤入れ画像）のみを伝送する提案がなされている（例えば、特許文献１参照。）。
【０００８】
一方、変更前の図面と変更後の図面から変更内容を確認する方法として、変更前の図面と変更後の図面の差分を取得して、取得した差分の属性情報を変更して、ハイライト表示を行うなどの提案がなされている（例えば、特許文献２参照。）。
【０００９】
また、カラー画像においても、単純に二値化したデータを比較することにより差分の抽出が可能であり、これにより、修正個所（赤入れ個所）が可能である。
【００１０】
ここから、元の原稿と修正原稿のそれぞれを二値化して差分を抽出する方法が考えられる。
【００１１】
ところで、校正作業においては、例えば、赤色で誤記の訂正、青色で色の変更、黒色で文章の差し替えなどを指示するように、使用する色に属性情報をもたせることがあり、このような校正指示がなされたときには、二値化データを用いて修正個所を抽出しただけでは、その属性まで抽出することは困難となる。
【００１２】
ここから、元の原稿と修正原稿のそれぞれをスキャナによって読み取って色を含めた差分を抽出することが考えられる。しかし、スキャナの設置時のスキューやスキャナの色感度によっては、大部分ないし前面が差分と判定されてしまうことがあり、このために差分の正確な抽出が困難となってしまう。
【００１３】
また、校正作業時に色の使い分けを行うときに、例えば、印刷会社等の原稿作成者に戻す必要のない情報を色に属性を持たせることがあり、このような情報を校正指示に含めて印刷会社に伝送することが好ましくないこともある。
【特許文献１】特開２００３−１４３３９４号公報
【特許文献２】特開平９−１２８４３７号公報
【発明の開示】
【発明が解決しようとする課題】
【００１４】
本発明は上記事実に鑑みてなされたものであり、校正指示を伝送するときのデータ量の削減を図りながら、校正を行うときの色の属性情報も含めて適正な校正指示を可能とする校正指示方法及び、画像校正システムを提案することを目的とする。
【課題を解決するための手段】
【００１５】
上記目的を達成するための本発明の校正指示方法は、書込みに用いる筆記具ごとに属性情報を設定し、該属性情報に基づいて元原稿に校正指示を書き込んで校正原稿を作成して校正指示する校正指示方法であって、前記元原稿及び前記校正原稿の画像読込みを行い、元原稿に基づいた第１の画像データと校正原稿に基づいた第２の画像データから予め設定した閾値以上の差分を抽出し、前記抽出した差分を二値化した画像データを生成すると共に、前記抽出した差分ごとの色を判定して前記差分ごとの前記属性情報を生成し、前記二値化した画像データに前記属性情報を付加した校正指示データを出力することを特徴とする。
【００１６】
また、本発明の画像校正システムは、元原稿に基づいた第１の画像データ及び、元原稿に校正指示を書き込んだ校正原稿に基づいた第２の画像データを記憶する可能な記憶手段と、前記校正指示を書き込むときの色ごとの属性情報を記憶する属性情報記憶手段と、前記記憶手段に記憶されている前記第１の画像データと前記第２の画像データから、予め設定した閾値以上の差分を抽出する抽出手段と、前記抽出手段によって抽出した差分を二値化した画像データを生成するデータ変換手段と、前記抽出手段によって抽出した差分ごとの色を判定し、判定結果と前記属性情報記憶手段に記憶している色ごとの属性情報から差分ごとの属性情報を生成すると共に、生成した属性情報を前記データ変換手段によって生成された前記画像データに付加して、校正指示データを生成する生成手段と、前記校正指示データを伝送出力する伝送手段と、を含むことを特徴とする。
【００１７】
この発明によれば、元原稿の画像データと校正原稿の画像データを比較して、差分となる校正指示に基づいた画像データを生成する。このとき、例えば、Ｒ、Ｇ、Ｂの各色の中で何れかの色の濃度値の差が閾値を越えたときに、差分となる画像又は画素であると判断するので、校正指示の書込みのみを的確に抽出することができる。
【００１８】
また、差分の画像データを二値化すると共に、属性情報を含ませて校正指示データを生成するので、データ量を抑えながら校正指示を的確に伝達することができる。
【００１９】
このような本発明の画像校正システムにおいては、前記元原稿から前記第１の画像データを読み込むと共に、前記校正原稿から前記第２の画像データを読み込む画像読取り手段を含むことができる。
【００２０】
また、本発明の校正指示方法は、前記校正情報として該当する色の画像の削除を含むときに、前記属性情報に基づいて前記差分を削除した校正指示データを生成することを特徴とし、この校正指示方法が適用される画像校正システムは、前記属性情報記憶手段に記憶している属性情報に前記差分の削除を含むときに、前記生成手段が、該当する差分を削除した校正指示データを生成することを特徴とする。
【００２１】
これにより、的確な校正指示の伝達に不必要な書込みを、校正指示データに含ませてしまうことがない。
【発明の効果】
【００２２】
以上説明したように本発明によれば、元原稿と校正原稿の差分から校正指示のみを的確に抽出することができると共に、抽出した差分を二値化して校正指示に書込みの色に基づく属性情報を含ませて伝送するので、伝送時のデータ量を抑えながら、的確な校正指示を行うことができるという優れた効果が得られる。
【発明を実施するための最良の形態】
【００２３】
以下に図面を参照しながら本発明の実施の形態を説明する。図１には、本実施の形態に適用した校正システム１０の概略構成を示している。この校正システム１０は、複数のネットワークユーザー１２が、ネットワーク接続されている。
【００２４】
なお、校正システム１０では、ネットワークユーザー１２のそれぞれに構内ＬＡＮ（ローカルエリアネットワーク）等のネットワークが形成されていても良く、また、ネットワークユーザー１２同士を接続するネットワークとしては、公衆ネットワーク（インターネット）に限らず、専用のネットワークを適用することもでき、このときに、伝送するデータ量等に応じて課金する従量制ネットワークなどを適用することができる。
【００２５】
ネットワークユーザー１２（以下、単にユーザー１２とする）は、例えば、原稿作成及び作成した原稿に基づいた印刷処理を行う印刷会社など（以下、区別するときにはユーザー１２Ａとする）及び、印刷会社へ原稿の作成／修正及び印刷処理を依頼する発注者など（以下、区別するときにはユーザー１２Ｂ、１２Ｃとする）を適用できる。
【００２６】
ユーザー１２Ａには、少なくとも、各種のアプリケーションを用いてページレイアウト等の印刷用の画像（原稿）を形成可能とする画像処理端末１４及び、各種の画像データに基づいた印刷処理を行うプリンタ１６が接続されたプリントサーバ１８が含まれている。
【００２７】
なお、ユーザー１２Ａには、画像処理端末１４によって作成した画像データに基づいて印刷用の刷版を作成するために感光性平版印刷版等を直接露光するプレートセッターや、感光性平版印刷版への画像焼付（露光）に用いる原稿フィルムを露光する露光装置等が設けられていても良い。
【００２８】
ユーザー１２Ｂ、１２Ｃ等には、少なくとも、ユーザー１２Ａから伝送される画像データに応じた印刷処理を行うプリンタ２０と、原稿等に記録された画像を読み込んで画像データを生成する画像読取り装置（スキャナ２２）を含んでおり、これらがサーバ２４に接続している。また、ユーザー１２Ｂ、１２Ｃには、各種の画像処理を行う画像処理端末２６が含まれていても良い。
【００２９】
なお、ユーザー１２Ｂ、１２Ｃでは、プリンタ２０とスキャナ２２を一体にした複合機を設けても良く、また、サーバ２４に替えて画像処理端末２６によってプリンタ２０やスキャナ２２の作動を制御するものであっても良い。また、校正システム１０では、画像処理端末１４、２６として、パーソナルコンピュータやワークステーションなどの従来公知の画像処理端末を用いることができる。
【００３０】
図２には、ネットワーク１２Ｂ、１２Ｃに設けているサーバ２４の概略構成を示している。サーバ２４は、ＣＰＵ２８、チップセット３０、メインメモリ３２を備え、ＣＰＵ２８によって画像処理を含む各種の処理及びサーバ２４の作動を制御する一般的構成となっている。
【００３１】
また、サーバ２４は、複数のバス３４Ａ、３４Ｂ、３４Ｃがブリッジ３６を介して接続しており、バス３４Ａには、チップセット３０と共に、ＨＤＤ３８、ネットワークカードなどの通信インターフェイス（通信Ｉ／Ｆ４０）が接続している。
【００３２】
また、サーバ２４には、ＣＲＴ又はＬＣＤなどのモニタが表示デバイス４２として設けられ、キーボード及びマウスなどが入力デバイス４４として設けられている。表示デバイス４２は、ビデオカード４６を介してバス３４Ａに接続され、入力デバイス４４は、入力デバイスインターフェイス（入力デバイスＩ／Ｆ）４８を介してバス３４Ｂに接続されており、これにより、サーバ２４では、各種の情報や画像の表示と、表示情報や画像に対する処理指示などの入力操作が可能となっている。
【００３３】
なお、サーバ２４は、ＣＤ−ＲＯＭドライブ５０やＦＤドライブ５２が設けられて、ＣＤ−ＲＯＭやＦＤからのデータの読込み等が可能となっている。また、サーバ２４は、ＣＤやＤＶＤなどの各種の記憶メディアへのデータの入出力が可能なドライブを含んでいても良い。
【００３４】
一方、サーバ２４には、画像処理部５４、画像メモリ５６及び周辺機器インターフェイス（周辺機器Ｉ／Ｆ５８）が設けられており、これらがバス３４Ｃに接続している。
【００３５】
周辺機器Ｉ／Ｆ５８には、プリンタ２０及びスキャナ２２が接続しており、サーバ２４では、周辺機器Ｉ／Ｆ５８を介して、プリンタ２０への印刷データの出力及び、スキャナ２２からの画像データの読込み可能となっている。
【００３６】
すなわち、サーバ２４では、画像処理端末２６等から印刷ジョブ（画像データ）が入力されると、画像処理部５４で、この印刷ジョブに基づいた画像処理を行って印刷データを生成し、この印刷データをプリンタ２０へ出力することにより、印刷ジョブに応じた印刷処理が実行されるようにしている。
【００３７】
また、サーバ２４では、スキャナ２２によって原稿に記録された画像を読み込んで生成された画像データが入力されると、画像処理部３４でこの画像データに対して所定の処理を行い、ＨＤＤ３８への保存や、画像処理端末２６等への出力を行う。また、サーバ２４では、スキャナ２２によって読み込んだ画像データに基づいて印刷データを生成して、プリンタ２０へ出力することにより、原稿に記録された画像の複写が可能となっている。
【００３８】
なお、このようなサーバ２４は、従来公知の一般的構成を適用でき、例えば、パーソナルコンピュータ（ＰＣ）に所定機能のＰＣＩボード等を追加することにより構成可能となっている。
【００３９】
一方、サーバ２４は、同じユーザー１２内の画像処理端末２６との間のデータ交換のみならず、他のユーザー１２の画像処理端末１４、２６や、プリントサーバ１８、サーバ２４等との間のデータ交換が可能となっている。
【００４０】
このように構成されている校正システム１０では、ユーザー１２Ａの画像処理端末１４によって作成したページレイアウトなどの画像データに対する校正処理を行うときに、画像データをユーザー１２Ｂないしユーザー１２Ｃのプリンタ２０（サーバ２４）へ伝送して、プリンタ２０で印刷出力することにより、校正用の原稿（カラープルーフ）としてユーザー１２Ｂないしユーザー１２Ｃの校正者に渡すことができる。
【００４１】
また、校正システム１０では、校正用の原稿（元の原稿）に赤入れ等によって校正指示を書き込むなどして形成された校正原稿を、ユーザー１２Ａに校正指示として戻すときには、この校正原稿を、スキャナ２２によって読み込んで校正指示用の画像データを生成し、この校正指示用の画像データを、ユーザー１２Ａのプリントサーバ１８ないし画像処理端末１４へ伝送するようにしている。
【００４２】
ところで、ユーザー１２Ｂ、１２Ｃに設けているサーバ２４では、元の原稿と校正原稿を読み込むと、元の原稿と校正原稿の差分を抽出し、この差分に応じた画像の二値化データを生成する。
【００４３】
校正システム１０では、鉛筆（色鉛筆）、フェルトペン、マーカーなどの筆記具を用いて原稿に校正指示を書き込む。このとき、校正システム１０では、複数色の筆記具を用いて、校正指示の書き込みを行うことができるようになっている。そのとき、筆記具の色によって属性が定められている。例えば、誤記などの訂正に対しては赤色で書き込み、オブジェクトなどの色の変更指示は、青色で書き込むように設定されている。また、校正者のメモ書きなど、校正指示に直接関係しない内容は、黒色で書き込むように定めている。
【００４４】
サーバ２４では、元の原稿と校正原稿の差分を抽出すると、その差分の色も抽出も合わせて行う。すなわち、校正指示等を元の原稿に書き込んだときの書き込み色の抽出を合わせて行うようにしている。
【００４５】
また、サーバ２４には、例えば、ＨＤＤ３８に、校正に用いる色ごとの属性情報を記憶している。この属性情報は、例えば、赤色が誤記等の文章の訂正指示、青色が色の変更指示、黒色が校正指示に直接関係しない書き込みなどとしている。このような色ごとの属性情報は、校正システム１０の利用者全体で規定されているものであることが好ましいが、サーバ２４が設けられているユーザー１２Ｂ、１２Ｃごとに定めているものであっても良い。
【００４６】
サーバ２４では、元の原稿と校正原稿の差分ごとの色を抽出すると、抽出した色ごとの属性情報を読出し、前記した二値化データとを合成することにより校正指示データを作成するようにしている。
【００４７】
サーバ２４では、この校正指示データを、例えばユーザー１２Ａへ伝送することにより、元の原稿に対する校正指示を行うようにしている。
【００４８】
すなわち、図３に示すように、サーバ２４には、元の原稿の画像データと、校正原稿の画像データから差分を抽出する差分抽出部６０と共に、データ変換部６２、属性情報生成部６４及びデータ合成部６６が形成されている。
【００４９】
一方、図４に示すように、元の原稿７０は、記録紙７２に校正用の画像データに応じた印刷出力したものであり、校正原稿７４と元の原稿７０の差分は、校正指示７６となる。この校正指示７６は、例えば、赤色で書き込まれた書込み７６Ａ、青色で書き込まれた書込み７６Ｂ、黒色で書き込まれた書込み７６Ｃなどがあり、校正原稿７４からこれらの校正指示７６を除いたものが元の原稿７０となる。
【００５０】
図３に示す差分抽出部６０は、元の原稿７０の画像データと、校正原稿７４の画像データから差分を抽出し、差分に応じた画像データ、すなわち、校正指示７６のみの画像データ（カラーの画像データ）を出力する。このとき、差分抽出部６０では、Ｒ、Ｇ、Ｂの各色についての濃度差の閾値が設定されており、濃度差が閾値以内であれば、同一の色、すなわち、その色については、同一の画素であると判定し、濃度差が閾値を越えたときに、その画像が差分の画像を形成するものであると判定するようにしている。
【００５１】
これにより、差分抽出部６０では、スキャナ２２のスキューや感度特性などの変化によって、元の原稿と校正原稿の間で、同一の色の画像が異なる画像であると誤判定してしまうのを防止するようにしている。すなわち、元の原稿７０に記録されている画像を校正指示７６として抽出してしまうのを防止している。
【００５２】
なお、この閾値は、予めスキャナ２２の特性を測定して設定した値を用いることができるが、校正指示データを作成するときに、入力デバイス４４を用いて入力するものであっても良い。
【００５３】
データ変換部６２は、差分抽出部６０で抽出した校正指示７６の画像データの各画素について二値化する。これにより、校正画像７６を二値化した画像データが生成される。
【００５４】
また、ＨＤＤ３８には、校正指示７６の書込みに用いる色ごとの属性情報が記憶されており、属性情報生成部６４は、差分抽出部６０で抽出した校正指示７６の画像データから、校正指示７６ごとの色を抽出し、校正指示７６ごとに属性情報を生成する。
【００５５】
データ合成部６６は、二値化した校正指示７６の画像データに、校正指示７６ごとの属性情報を合成し、校正指示データを生成する。
【００５６】
なお、校正指示データを生成する時の元の原稿７０の画像データは、校正作業を行う前に、元の原稿７０をスキャナ２２に装着して読み込んで、ＨＤＤ３８に保存しておいても良く、また、校正指示を書き込む元の原稿７０と別にプリントアウトして、校正原稿７４の画像データを読み込むときに、合わせて読み込まれるものであっても良い。
【００５７】
一方、サーバ２４では、色ごとの属性情報として、特定の色で書き込まれているときに、該当する色の画像データを校正指示データから削除することもできる。このときには、ＨＤＤ３８に記憶する属性情報として、該当する色の画像の削除を含ませる。
【００５８】
属性情報設定部６４では、校正指示７６の色ごとの属性情報を設定するときに、該当する色画像の削除が含まれると、削除指示を付加する。データ合成部６６では、属性情報に削除指示が含まれているときには、該当する画像を削除した構成指示データを生成する。
【００５９】
ユーザー１２Ｂ、１２Ｃでは、このようにしてサーバ２４で作成した校正指示データを、ユーザー１２Ａの画像処理端末１４、プリントサーバ１８等へ伝送することにより、校正指示を行う。
【００６０】
ここで、図５及び図６を参照しながら校正システム１０での校正処理を説明する。
【００６１】
図５には、校正システム１０での校正処理作業の流れを示しており、校正システム１０では、ユーザー１２Ｂ、１２Ｃ側からユーザー１２Ａ側に印刷処理を依頼する。ユーザー１２Ａ側では、印刷処理の依頼を受けると画像処理端末１４で印刷用の原稿を作成する。
【００６２】
この後に、校正システム１０では、ユーザー１２Ａ側が作成した印刷用の原稿に対して、印刷処理を依頼したユーザー１２Ｂ、１２Ｃ側から校正を受ける。このときに、元の原稿の画像データを、ユーザー１２Ａの画像処理端末１４から、ユーザー１２Ｂ側ないしユーザー１２Ｃ側のサーバ２４へ印刷ジョブとして伝送する（ステップ１００）。
【００６３】
サーバ２４は、印刷ジョブを受信すると、印刷処理を実行し、プリンタ２０を用いて画像データに応じた画像を記録紙７０に形成し（ステップ１０２）。これにより、ユーザー１２Ｂないしユーザー１２Ｃは、校正に用いる元の原稿７０（カラープルーフ）を受け取ることができる。なお、印刷用の原稿の画像データは、印刷ジョブとしてサーバ２４に伝送せず、画像処理端末２６へ伝送し、画像処理端末２６から印刷出力することもできる。
【００６４】
ユーザー１２Ｂないしユーザー１２Ｃ側では、校正に用いる原稿７０を得ると、この原稿７０に校正指示７６を書き込むことにより、校正原稿７４を作成する（ステップ１０４）。
【００６５】
校正処理を行うときには、校正内容に応じて設定されている色の筆記具を用いる。例えば、誤記等に対する文章の修正を行うときには、文章（文字）の訂正用に設定されている色（例えば赤色）の筆記具を用いて書込みを行い、オブジェクトの色を変更するときには、色の訂正用に設定されている色（例えば青色）の筆記具を用いて行う。
【００６６】
また、校正者が必要に応じて原稿７０にメモ書き等を行うときには、それに対して設定されている色（例えば黒色）の筆記具を用いる。
【００６７】
このように、校正システム１０では、校正に用いる色ごとに属性を設定しており、サーバ２４には、色ごとの属性情報が記憶されており、また、校正作業には、属性に応じた色の筆記具が用いられる。
【００６８】
校正システム１０では、校正作業が終了して校正原稿７４が作成されると、校正原稿７４に書き込んだ校正指示を、ユーザー１２Ｂ、１２Ｃからユーザー１２Ａへ伝送する。すなわち、元の原稿７０と校正原稿７４から校正指示データを作成し（ステップ１０６）。作成した校正指示データを、ユーザー１２Ａへ伝送する（ステップ１０８）ことにより、印刷用の原稿に対する校正指示を行う。
【００６９】
これにより、ユーザー１２Ａ側で校正指示データを受け取って、校正指示データの校正指示に基づいて原稿の修正が行われる（ステップ１１０）。
【００７０】
図６には、ユーザー１２Ｂ、１２Ｃのサーバ２４で実行する校正指示データの作成処理の概略を示している。
【００７１】
校正指示データの作成は、最初のステップ１２０で元の原稿７０と校正原稿７４を順にスキャナ２２に装着し、元の原稿７０の画像データと、校正原稿７４の画像データを読込み、ステップ１２２では、読み込んだ画像データを比較することにより差分を抽出し、差分画像データを生成する。
【００７２】
このとき、差分抽出部６０では、例えば画素ごとの各色の濃度差から、濃度差が所定の閾値以内であれば、同一の画素と判断し、差分画像データから省く。すなわち、原稿７０の画像データと、校正原稿７４の画像データの間で、同一の画素と判断し得る画素について、原稿７０の画素の濃度を濃度Ｄｍ、校正原稿７４の画素の濃度を濃度Ｄｐとしたときに、その差である濃度Ｄｄ（Ｄｄ＝Ｄｍ−Ｄｐ）が、閾値Ｄthを越えないとき（−Ｄth≦Ｄｄ≦Ｄth）には、同一の画素であると判断する。
【００７３】
これにより、同じ画像であるながら、画像データ上で濃度などが僅かに異なるために、異なる画像と判断してしまうのを防止し、校正原稿７４に記録している校正指示７６のみを確実に抽出することができるようにしている。
【００７４】
この後、ステップ１２４では、差分画像データを二値化することにより、差分画像データに応じた二値化データを生成する。この二値化データは、校正指示７６の書込み７６Ａ、７６Ｂ、７６Ｃに応じた画像データを二値化したものであり、校正指示が二値化画像として表されている。
【００７５】
一方、ステップ１２６では、差分画像データから校正指示７６ごとの色を抽出し、ステップ１２８では、抽出した色ごとの属性情報をＨＤＤ３８から読み込む。この後、ステップ１３０では、差分の画像である校正指示ごとに属性情報を設定する。
【００７６】
このようにして元の原稿７０と校正原稿７４の差分に応じた二値化データと属性情報を生成すると、ステップ１３２では、属性情報に校正指示の削除が含まれるか否かを確認する。
【００７７】
ここで、例えば、原稿作成者であるユーザー１２Ａへ伝送する必要のない内容を、他の校正指示と分けて、黒色で原稿７０（校正原稿７４）に書き込み（例えば図４の書込み７６Ｃ）、この色の属性情報として削除を設定していると、その書込み７６Ｃの属性情報に削除が含まれる。
【００７８】
これにより、ステップ１３２で肯定判定されてステップ１３４へ移行し、二値化データから該当する画像が削除される。
【００７９】
このようにして必要な校正指示のみによって形成される二値化データを得ると、ステップ１３６では、この二値化データに校正指示ごとの属性情報を合成して、校正指示データを生成する。
【００８０】
このようにして生成した校正指示データは、二値化した画像データであるので、カラーの画像データに比べて極めてデータ量が少なくなっている。したがって、ネットワークを介して伝送するときの伝送時間が短くて済む。また、伝送するデータ量に応じて課金されるときにも、伝送コストを低く抑えることができる。
【００８１】
一方、校正指示データを受信するネットワーク１２Ａ側（画像処理端末１４又はプリントサーバ１８）では、校正指示７６が二値化されていても校正指示７６ごとに属性情報が含まれていることにより、各校正指示７６の内容を的確に判断することができ、これにより、元の原稿７０の適正な修正が可能となる。
【００８２】
また、校正指示データに、ユーザー１２Ｂ、１２Ｃ（校正者）側で伝送が不要としている書込み（例えば、書込み７６Ｃ）を含ませることがないので、不要な書込みなどが含まれることにより、他の校正指示７６の内容に誤解等が生じてしまうのを防止することができる。
【００８３】
なお、校正指示データを伝送するときには、データ量の削減を行うときの常套手段として用いられるデータ圧縮処理を行うことが好ましい。このときに、非可逆圧縮を適用することがより好ましく、これにより、より高いデータ量の抑制を達成できる。
【００８４】
また、本実施の形態では、サーバ２４で校正指示データの作成を行ったが、校正指示データの作成は、画像処理端末２６で行うこともできる。このときには、スキャナ２２によって読み込んだ元の原稿７０と校正原稿７４の画像データを、サーバ２４を介して画像処理端末２６に入力されるようにすればよく、また、校正指示データを、ユーザー１２Ａの画像処理端末１４へ伝送するときには、電子メールの添付ファイルとして伝送するなどの種々の方法を適用すればよい。
【００８５】
なお、以上説明した本実施の形態は、本発明の一例を示すものであり、本発明は、本実施の形態に限らず、リモートカラープルーフが適用可能な任意の構成に適用することができる。
【図面の簡単な説明】
【００８６】
【図１】本実施の形態に適用した校正システムが適用されるネットワークの概略図である。
【図２】校正システムに適用するサーバの一例を示す概略校正図である。
【図３】サーバの要部を示す機能ブロック図である。
【図４】校正原稿の一例を示す概略図である。
【図５】校正処理の概略を示す流れ図である。
【図６】校正指示データの生成の概略を示す流れ図である。
【符号の説明】
【００８７】
１０    校正システム
１２（１２Ａ〜１２Ｃ）    ネットワークユーザー
２０    プリンタ
２２    スキャナ（画像読取り手段）
２４    サーバ
３８    ＨＤＤ（記憶手段、属性情報記憶手段）
５４    画像処理部
６０    差分抽出部（抽出手段）
６２    データ変換部（データ変換手段）
６４    属性情報生成部
６６    データ合成部（生成手段）
７０    元の原稿
７２    記録紙
７４    校正原稿
７６    校正指示
７６Ａ〜７６Ｃ    書込み（校正指示）
【図１】
2006093949.tif 000003
【図２】
2006093949.tif 000004
【図３】
2006093949.tif 000005
【図４】
2006093949.tif 000006
【図５】
2006093949.tif 000007
【図６】
2006093949.tif 000008